(57)【要約】  【課題】壁状体に少ない工数でオプション部材を取り付けることができるようにしつつ、オプション取付装置と壁状体の上縁部との係合が解除されてオプション部材がオプション取付装置ごと抜脱してしまう不具合を解消する。  【解決手段】上縁部に折り返し部５ｒを有し上方が開放された状態で配される壁状体たる幕板５にオプション取付装置８を介してオプション部材たるダクト９を取り付けるオプション部材取付構造において、オプション取付装置８に、ダクト９を保持するオプション部材保持部８２と、幕板５の上縁部に係合可能な取付部８３と、前記幕板５の折り返し部５ｒに下方から当接する上動禁止部８４とを具備させる。  【選択図】図８
2006181038.tif 000002
【特許請求の範囲】
【請求項１】
上縁部に折り返し部を有し上方が開放された状態で配される壁状体にオプション取付装置を介してオプション部材を取り付けるものであって、オプション取付装置が、オプション部材を保持するオプション部材保持部と、壁状体の上縁部に係合可能な取付部と、前記壁状体の折り返し部に下方から当接する上動禁止部とを具備することを特徴とするオプション部材取付構造。
【請求項２】
オプション取付装置が装着姿勢と使用姿勢との間を姿勢変更可能なものであって、使用姿勢において上動禁止部の上縁が前記折り返し部の下縁に当接可能であることを特徴とする請求項１記載のオプション部材取付構造。
【請求項３】
前記オプション取付装置の取付部が、前記使用姿勢において壁状体の板面に対向する位置に配される添接部材と、前記使用姿勢において壁状体の折り返し面に対向する位置に配される裏当て部材と、前記使用姿勢において壁状体の上方に配されこれら添接部材及び裏当て部材を接続する接続部材とを有するものであって、前記裏当て部材に前記上動禁止部を一体に設けていることを特徴とする請求項２記載のオプション部材取付構造。
【請求項４】
前記上動禁止部が、前記裏当て部材の下部から前記折り返し部側に向けて突出する延出部材と、前記延出部材から上方に突出して前記折り返し部の内部に配される抜け止め部材とを具備することを特徴とする請求項３記載のオプション部材取付構造。
【請求項５】
前記抜け止め部材の上端に、前記壁状体の上面を形成する上壁の下面に当接可能な上向き面を設けていることを特徴とする請求項４記載のオプション部材取付構造。
【請求項６】
前記オプション部材保持部が上方に向かう作用を受けた際に、該オプション部材保持部を上方に移動可能にするための応力分散機構を有することを特徴とする請求項１、２、３、４又は５記載のオプション部材取付構造。
【請求項７】
前記オプション部材保持部と前記取付部の前記添接部材とを一体に構成するとともに、前記取付部の前記添接部材と前記接続部材とを別体に構成し、前記添接部材と前記接続部材とを互いに回動可能に接続して前記応力分散機構を形成していることを特徴とする請求項６記載のオプション部材取付構造。
【請求項８】
前記接続部材が、奥行き方向に延伸し裏当て部に接続する起立板と、前記壁状体の上面に対向する位置に配される水平板とを有することを特徴とする請求項１、２、３、４、５、６又は７記載のオプション部材取付構造。
【請求項９】
天板と、左右両側に設けられ天板を支持する脚要素と、脚要素間に架設される壁状体たる幕板とを有し、前記天板と前記幕板との間に空間を有する天板付き家具に適用されることを特徴とする請求項１、２、３、４、５、６、７又は８記載のオプション部材取付構造。
【請求項１０】
工具を用いることなく前記天板と前記脚要素と前記幕板とを連結してなる天板付き家具に適用されることを特徴とする請求項９記載のオプション部材取付構造。
【請求項１１】
前記オプション部材保持部と前記オプション部材との間に、係止爪と係止孔とを係合させてなり、オプション部材の上動を禁止する係止部を設けていることを特徴とする請求項１、２、３、４、５、６、７、８、９又は１０記載のオプション部材取付構造。
【発明の詳細な説明】
【技術分野】
【０００１】
本発明は、上縁部に折り返し部を有し上方が開放された状態で配される壁状体にオプション部材を取り付けるオプション部材取付構造に関する。
【背景技術】
【０００２】
従来、上縁部に折り返し部を有し上方が開放された状態で配される壁状体にオプション部材を取り付けるための構成として、上端部を壁状体の上縁部に係合させてなるオプション取付装置を介在させる構成が知られている。このような構成において、オプション部材が上動する方向に作用を受けた際に、オプション取付装置と壁状体の上縁部との係合が解除されてオプション部材がオプション取付装置ごと抜脱してしまう不具合を解消すべく、上動防止部材をオプション取付装置に取り付ける構成が知られている（例えば、特許文献１参照。）前記特許文献１では、オプション取付装置は取付部材、上動防止部材は突き当て部として述べられている。
【特許文献１】特開２００１−１８６９３２号公報
【発明の開示】
【発明が解決しようとする課題】
【０００３】
しかして、特許文献１記載の構成では、オプション取付装置に上動防止部材を取り付ける必要があるので、オプション部材を取り付けるために必要な工数が増大する不具合が存在する。
【０００４】
本発明は、このような課題を解決すべく構成するものである。
【課題を解決するための手段】
【０００５】
すなわち、本発明に係るオプション部材取付構造は、上縁部に折り返し部を有し上方が開放された状態で配される壁状体にオプション取付装置を介してオプション部材を取り付けるものであって、オプション取付装置が、オプション部材を保持するオプション部材保持部と、壁状体の上縁部に係合可能な取付部と、前記壁状体の折り返し部に下方から当接する上動禁止部とを具備することを特徴とする。
【０００６】
このようなものであれば、オプション取付装置が前記壁状体の折り返し部に下方から当接する上動禁止部を具備し、オプション部材が上動する方向に作用を受けた際に、前記上動禁止部が前記壁状体の折り返し部に下方から当接してオプション取付装置の上動が禁止されるので、少ない工数でオプション部材を取り付けることができるようにしつつ、オプション取付装置と壁状体の上縁部との係合が解除されてオプション部材がオプション取付装置ごと抜脱してしまう不具合を解消することができる。
【０００７】
このようなオプション取付装置を容易に壁状体に取り付けることができるようにするための構成として、オプション取付装置が装着姿勢と使用姿勢との間を姿勢変更可能なものであって、使用姿勢において上動禁止部の上縁が前記折り返し部の下縁に当接可能であるものが挙げられる。
【０００８】
前段で述べたオプション取付装置を容易に実現するための構成として、前記オプション取付装置の取付部が、前記使用姿勢において壁状体の板面に対向する位置に配される添接部材と、前記使用姿勢において壁状体の折り返し面に対向する位置に配される裏当て部材と、前記使用姿勢において壁状体の上方に配されこれら添接部材及び裏当て部材を接続する接続部材とを有するものであって、前記裏当て部材に前記上動禁止部を一体に設けているものが挙げられる。なお、本発明において、「対向する」とは、空間を隔てて向かい合う状態だけでなく、互いに当接しながら向かい合う状態をも含む概念である。また、「壁状体の折り返し面」とは、壁状体の折り返し部において板面と逆側を向く面を示す概念である
このようなオプション取付装置の後方への抜脱を防げる態様として、前記上動禁止部が、前記裏当て部材の下部から前記折り返し部側に向けて突出する延出部材と、前記延出部材から上方に突出して前記折り返し部の内部に配される抜け止め部材とを具備するものが挙げられる。このようなものであれば、該オプション取付装置が後方へ抜脱する方向に作用を受けると、前記抜け止め部材が前記折り返し部の折り返し部分に当接し、該オプション取付装置のそれ以上後方への移動が禁止されるからである。
【０００９】
このようなオプション取付装置をより安定して取り付けることができる態様として、前記抜け止め部材の上端に、前記壁状体の上面を形成する上壁の下面に当接可能な上向き面を設けているものが挙げられる。
【００１０】
オプション部材が上動する方向に作用を受けた際に、オプション取付装置が衝撃により破損する不具合の発生を防ぐための態様として、前記オプション部材保持部が上方に向かう作用を受けた際に、該オプション部材保持部を上方に移動可能にするための応力分散機構を有するものが挙げられる。このようなものであれば、オプション取付装置を壁状体に取り付けた状態でオプション部材が上動する方向に作用を受けた際に、応力分散機構が機能して該オプション部材保持部を上方に移動させ、応力を分散させるからである。
【００１１】
このような応力分散機構を容易に実現するための態様として、前記オプション部材保持部と前記取付部の前記添接部材とを一体に構成するとともに、前記取付部の前記添接部材と前記接続部材とを別体に構成し、前記添接部材と前記接続部材とを互いに回動可能に接続して前記応力分散機構を形成しているものが挙げられる。
【００１２】
このようなオプション取付装置をより安定して取り付けることができる態様として、前記接続部材が、奥行き方向に延伸し裏当て部に接続する起立板と、前記壁状体の上面に対向する位置に配される水平板とを有するものも挙げられる。このように構成すれば、前記水平板と上動禁止部とにより壁状体を挟み込むようにできるからである。また、使用姿勢において前記水平板を前記壁状体の上面ないし該上面に固定して取り付けた部材に当接させオプション取付装置の使用姿勢への位置決めを行うことができる。
【００１３】
以上に述べたようなオプション部材取付構造の好適な実施の態様として、天板と、左右両側に設けられ天板を支持する脚要素と、脚要素間に架設される壁状体たる幕板とを有し、前記天板と前記幕板との間に空間を有する天板付き家具に適用されるものが挙げられる。
【００１４】
特に、工具を用いることなく前記天板と前記脚要素と前記幕板とを連結してなる天板付き家具に適用されるものであれば、このような天板付き家具の幕板にこのようなオプション取付装置を工具を用いることなく取付可能であることと併せて、オプション部材を有する天板付き家具の製造をより容易に行うことができる。
【００１５】
さらに、前記オプション部材保持部と前記オプション部材との間に、係止爪と係止孔とを係合させてなり、オプション部材の上動を禁止する係止部を設ける構成を採用すれば、工具を用いることなく前記オプション部材保持部に前記オプション部材を保持させる構成を採用できる。
【発明の効果】
【００１６】
本発明に係る構成によれば、前記壁状体の折り返し部に下方から当接する上動禁止部をオプション取付装置に設けていて、オプション部材が上動する方向に作用を受けた際に、前記動禁止部が前記壁状体の折り返し部に下方から当接してオプション取付装置の上動が禁止されるので、少ない工数でオプション部材を取り付けることができるようにしつつ、オプション取付装置と壁状体の上縁部との係合が解除されてオプション部材がオプション取付装置ごと抜脱してしまう不具合を解消することができる。
【発明を実施するための最良の形態】
【００１７】
以下、本発明の一実施形態を、図面を参照して説明する。
【００１８】
本発明に係る天板付き家具たるデスクＡは、図１、図２等に示すように、天板１と、天板１に着脱可能に結合され得る袖２及び脚体３（以下、「脚要素Ａ１」と総称する。）と、天板１と袖２との結合状態が解除されるのを防止するための解除防止機構たるファスナ４と、天板１下方の空間を外部空間から区画する壁状体であるとともに袖２及び脚体３を連結する脚連結体である幕板５と、幕板５の上端部を天板１及び脚要素Ａ１に接続する一対の上幕板取付部材６と、幕板５の下端部を脚要素Ａ１に接続する一対の下幕板取付部材７とを具備してなる。また、本実施形態では、オプション取付装置８を介して、幕板５にオプション部材たるダクト９を取付可能に構成している。以下、各部を詳述する。
【００１９】
天板１は、図１、図３、図４、図５等に示すように、略矩形状の面板部１１の前縁、後縁及び側縁が下面側に垂下した構造をなすもので、その下面に、天板１の幅方向に延びるチャンネル状の前部架材１２、後部架材１３及び２本の中間架材１４を添設している。
【００２０】
前部架材１２は、その両端が天板１の側縁に当接し、その前端が天板１の前縁に当接する位置に固設されている。後部架材１３は、その両端が天板１の側縁に当接し、その後端が天板１の後縁から内側へ若干退避した位置に固設されている。中間架材１４は両端が天板１の側縁に当接すると共に、前部架材１２と後部架材１３の間を略等間隔で区分する位置に固設されている。そして、これら架材の下面は略面一にされ、袖２及び脚体３の上端に対する均等な添設状態を確保している。
【００２１】
また、前部架材１２に、左右対称に配されるようにした６つの第１係合孔Ｋ１を形成している。これら６つの第１係合孔Ｋ１のうち、両端からそれぞれ数えて１番目の第１係合孔Ｋ１は脚体３の取り付けに専ら用いるものであり、また、２番目及び３番目の第１係合孔Ｋ１は袖２の取り付けに専ら用いるものである。
【００２２】
また、後部架材１３に、図３に示すように、左右対称に配されるようにした２つの外側第２係合孔Ｋ２と、２つの内側第２係合孔Ｋ３とを形成している。なお、外側第２係合孔Ｋ２は、脚体３又は袖２の取付に用いるものであり、内側第２係合孔Ｋ３は、袖２の取付に専ら用いるものである。
【００２３】
袖２は、図１、図４等に示すように、物品を収容可能な３段の引出し２１と、これら引出し２１を出し入れ可能に保持する筐体２２と、筐体２２の各隅部に床と接して天板１の天板面における水平レベル調整をするためのアジャスタ２３とを備えるものである。
【００２４】
脚体３は、図１、図２に示すように、偏平筐状の脚支柱３１に上部ステー３２及び下部ステー３３を一体に固設した側面視略コ字状を成すもので、前記上部ステー３２の上面で天板１を添設支持するようにしている。
【００２５】
これら袖２及び脚体３には、上面の前端側に、天板１の第１係合孔Ｋ１と係合可能な第1係合突起Ｔ１を設けている。また、袖２の上面の後端側には、外側第２係合孔Ｋ２又は内側第２係合孔Ｋ３と係合可能な第２係合突起Ｔ２１、Ｔ２２をそれぞれ１個ずつ設けている。さらに、脚体３の後端側には、天板１の外側第２係合孔Ｋ２と係合可能な第２係合突起Ｔ２１（図示略）を設けている。そして、前記第１係合孔Ｋ１と第1係合突起とを係合させ、また、前記外側第２係合孔Ｋ２又は内側第２係合孔Ｋ３と第２係合突起Ｔ２１、Ｔ２２とを係合させ、工具を用いることなく袖２及び脚体３とを天板１に取り付けるようにしている。
【００２６】
幕板５は、スチール製のもので、図１、図２に示すように、両端が、脚体３及び袖２の内面に添設しているとともに、天板対向面、すなわち本実施形態では上面と天板１の裏面との間に隙間を形成し得る位置に配されてなる。また、この幕板５は、上縁部に折り返し部５ｒを形成しているとともに、下縁部にも折り返し部（図示略）を形成している。また、この幕板５の上隅部付近に対応する部位の正断面図を図５、この幕板５の下隅部付近に対応する部位の正断面図を図６、この幕板５の上隅部の天板１及び袖２への取り付け態様を示す分解斜視図を図７にそれぞれ示すように、この幕板５の天板対向面、すなわち本実施形態では上面の左右両端部には、前記上幕板取付部材６を取り付けるための上取付孔５ａを設けているとともに、左右両側面の上部には、この幕板５を前記脚要素Ａ１、すなわち脚体３又は袖２に取り付けるための側面固定孔５ｂをそれぞれ設けている。さらに、この幕板５の下面の左右両端近傍には、前記下幕板取付部材７を取り付けるための下取付孔５ｃを設けている。そして、前記下幕板取付部材７を取り付けるための孔として、左右両側の前記下取付孔５ｃよりさらに幕板の左右両端寄りにそれぞれ変位し脚要素Ａ１に近寄る位置に外側係合孔５ｄ、左右両側の結合具取付孔５ｃからこの幕板５の幅方向中央に向けて変位した位置に前記下幕板取付部材７を取り付けるための内側係合孔５ｅをそれぞれ、前記下取付孔５ｃの他に設けている。一方、前記脚要素Ａ１たる袖２の内側面の上部の側面固定孔５ｂと対応する位置には、上幕板取付孔２ｘを、また、この上幕板取付孔２ｘの直下で幕板５の下端に対応する位置には、下幕板取付孔２ｙを形成している。そして、前記脚要素Ａ１たる脚体３の内側面の上部の側面固定孔５ｂと対応する位置には、図示しない上幕板取付孔を、また、この上幕板取付孔の直下で幕板５の下端に対応する位置には、図示しない下幕板取付孔を形成している。
【００２７】
上幕板取付部材６は、前記図５及び図７に示すように、前記上取付孔５ａに取り付けられる係合突起取付部材たる基材６２、前記側面固定孔５ｂを通過して脚要素Ａ１に取り付けられる脚連結体係止具たるクリップ６３、及びこれら基材６２とクリップ６３とを接続する結合帯６４を一体に構成した幕板上固定具６１と、前記基材６２に、天板１に向けて突出する使用位置Ｕと前記幕板５の上面と略又は完全に平行となる収納位置Ｓとの間を回動可能に取り付けられる係合突起６５とを具備する。
【００２８】
前記幕板上固定具６１は、可撓性を有する樹脂により全体を形成していて、平面図を図８の（ａ）、側面図を同図の（ｂ）、正面図を同図の（ｃ）、及びこの図８におけるｘ−ｘ断面図を同図の（ｄ）に示すような形状をしている。
【００２９】
前記基材６２は、前記図８に示すように、板状をなす板状部６２１と、この板状部６２１から垂下して設けられ、前記上取付孔５ａに係合可能な取付部６２２と、前記板状部６２１から起立して設けられ、前記係合突起６５と係合する係合軸６２３ａを備えた係合突起受部６２３とを有する。前記取付部６２２は、その前端部ないし後端部を平面視前記板状部６２１を越えてさらに前方ないし後方に張り出して係止部６２２ａを設けているとともに、この係止部６２２ａと反対側には、その幅方向中央部に弾性変形により突没可能な係止爪６２２ｂを設けている。そして、前記係止部６２２ａ及び係止爪６２２ｂが前記上取付孔５ａの開口縁部に当接してこの基材６２を幕板５の上面に固定している。
【００３０】
前記クリップ６３は、前記図８に示すように、前記袖２の上幕板固定孔２ｘ又は前記脚体３の上幕板固定孔と、前記側面固定孔５ｂとを重合させた状態で、これら上幕板固定孔及び側面固定孔５ｂに挿入し、幕板５の上部を脚要素Ａ１、すなわち前記袖２及び前記脚体３に固定する。より具体的には、前記袖２又は前記脚体３に当接可能な板状部６３１と、この板状部６３１の一端部側から突出して設けられる取付部６３２とを有する。さらに詳述すると、前記取付部６３２の一端部側に、平面視前記板状部６３１を越えて張り出す係止部６３２ａを設けているとともに、前記取付部６３２の他端部側には、その幅方向中央部に弾性変形により突没可能な係止爪６３２ｂを設けている。そして、前記係止部６３２ａ及び係止爪６３２ｂが前記側面固定孔５ｂの開口縁部に当接し、前記板状部６３１と前記取付部６３２とにより幕板５及び脚要素Ａ１を挟み込むようにしている。
【００３１】
前記係合突起６５は、正面図を図９の（ａ）、側面図を同図の（ｂ）にそれぞれ示すように、その基端部に切り欠き６５１ａを有し、この切り欠き６５１ａを前記基材６２の係合軸６２３ａに係合させてなるとともに、前記係合軸６２３ａを回転中心として回動可能な基体６５１と、この基体６５１から前記使用位置Ｕにおいてさらに天板１に向かう方向に突出して設けられ、テーパ面６５２ａを有する係合部６５２とを具備する。
【００３２】
また、本実施形態では、前記図５に示すように、前記係合突起６５を利用して、脚要素Ａ１の左右方向への移動を禁止するテーパ結合部Ｔを設けている。具体的には、天板１の裏面、より正確には前記後部架材１３の下面に、前記係合突起６５の係合部６５２と係合可能な受孔１３ｘを設けていて、前記係合突起６５と前記受孔１３ｘとを係合させた係合状態において、この係合突起６５が前記テーパ面６５２ａから前記脚要素Ａ１、すなわち脚体３又は袖２側に向かうテーパ作用を受け、前記天板１に密着するとともに、前記脚要素Ａ１に圧接して脚要素Ａ１の左右方向への移動を禁止するようにしている。
【００３３】
下幕板取付部材７は、前記図６及び図８に示すように、一端部を前記袖２の下幕板取付孔２ｙ又は前記脚体３の下幕板取付孔に係合させてなり、他端部を前記下取付孔５ｃに挿通させてなる結合具７１と、この結合具７１に交差状態で相対動作可能に係合され、一端部を前記外側係合孔５ｄ、他端部を前記内側係合孔５ｅにそれぞれ係合させてなり、前記結合具７１が幕板５の下面から離れるのを防止する押え具７２とを具備する。そして、前記結合具７１に設けた押え具挿通孔７１ｘに押え具７２を挿通させ、これら結合具７１及び押え具７２により幕板５の下端を挟持するようにしているとともに、結合具７１の一端部に位置する対脚要素取付部７１１を、脚要素Ａ１の下幕板取付孔、すなわち前記袖２の下幕板取付孔２ｙ又は前記脚体３の下幕板取付孔（図示略）に係合させて脚要素Ａ１に取り付けるようにしている。
【００３４】
本実施形態では、天板１に袖２の筐体２２及び脚体３を取り付けた後、幕板５を、袖２の筐体２２及び脚体３の内面間に横架させる位置に取り付け固定する。
【００３５】
具体的には、まず、幕板５の上部に上幕板取付部材６を取り付ける。すなわち、前記基材６２を前記上取付孔５ａに取り付け、この基材６２にさらに係合突起６５を取り付ける。次に、この係合突起６５を前記使用位置Ｕに移動させ、この係合突起６５の係合部６５２を天板１の受孔１３ｘに係合させて前記テーパ結合部Ｔを機能させる。その際、前記係合突起６５の係合部６５２と前記天板１の受孔１３ｘとのテーパ作用によりこの係合突起６５と天板１とが密着して幕板５が天板１に仮保持される。
【００３６】
それから、クリップ６３を前記袖２の上幕板取付孔２ｘ及び前記脚体３の上幕板取付孔（図示略）にそれぞれ係合させて幕板５を脚３と袖２との間に架設する。
【００３７】
そして、下幕板取付部材７を、幕板５の下部及び前記脚要素Ａ１に係合させる。
【００３８】
また、幕板５の取り外し及び収納は以下のようにして行う。
【００３９】
まず、下幕板取付部材７と幕板５及び前記脚要素Ａ１との係合状態を解除する。次に、前記クリップ６３と前記袖２の上幕板取付孔２ｘ及び前記脚体３の上幕板取付孔（図示略）との係合を解除する。そして、係合突起６５と後部架材１３の下面の係合孔１３ｘとの係合を解除し、幕板５を天板１及び脚要素Ａ１から完全に取り外す。そして、係合突起６５を収納位置Ｓに移動させるとともに、前記押え具７２を前記押え位置まで移動させ、上幕板取付部材６及び下幕板取付部材７を幕板５に取り付けたまま収納する。
【００４０】
しかして本実施形態では、前記オプション取付装置８は、このオプション取付装置８を介してダクト９を取り付けた状態のデスクＡの背面図を図１０、図１１の要部を拡大して示した図を図１１、図１０におけるａ−ａ断面図を図１２にそれぞれ示すように、左右１対に設けられるオプション部材取付要素８１、８１により形成される。このオプション部材取付要素８１は、図１３の（ａ）に平面図、同図の（ｂ）に正面図、同図の（ｃ）に側面図をそれぞれ示すように、オプション部材すなわち配線ダクト９を保持するオプション部材保持部８２と、幕板５の上縁部に係合可能な取付部８３と、前記幕板５の折り返し部５ｒに下方から当接する上動禁止部８４とを具備する。このオプション取付装置８は、装着姿勢と使用姿勢との間を姿勢変更可能なものであって、使用姿勢において上動禁止部の上縁が前記折り返し部５ｒの下縁に当接可能に構成している。また、オプション取付装置８は、前記オプション部材保持部８２が上方に向かう作用を受けた際に、該オプション部材保持部８２を上方に移動可能にするための応力分散機構Ｋをさらに有する。なお、前記図１０〜図１２には、使用姿勢にある状態を示している。また、袖２をこのデスクＡを使用するものから見て左側に設けた場合の態様を、前記図１０の想像線に示している。
【００４１】
具体的には、前記オプション部材保持部８２は、略水平な板状をなし、上方にダクト９を載置してなる保持部本体８２１と、この保持部本体８２１の一側縁部から垂下して設けられる垂下板８２２と、前記保持部本体８２１の先端部からさらに先端に向けかつ上方に突出して設けられ、ダクト９に形成した係止孔９ｘに係合可能な係止爪８２３とを有する。前記係止爪８２３は、前記ダクト９に形成した係止孔９ｘと係合した状態で、前記係止孔９ｘの開口縁部の上方に位置し、ダクト９の上動を禁止する機能を有する。すなわち、前記係止爪８２３と前記係止孔９ｘとは、請求項中の係止部として機能する。そして、図示はしないが、このオプション部材保持部８２及びダクト９には、樹脂製止め部材を挿通可能な止め部材挿通孔を形成していて、これらオプション部材保持部８２及びダクト９の止め部材挿通孔に樹脂製止め部材を挿入し、これらオプション部材保持部８２及びダクト９を互いに固定している。
【００４２】
前記取付部８３は、前記使用姿勢において幕板５の板面に対向する位置に配される添接部材８３１と、前記使用姿勢において幕板５の折り返し面に対向する位置に配される裏当て部材８３２と、前記使用姿勢において幕板５の上方に配されこれら添接部材８３１及び裏当て部材８３２を接続する接続部材８３３とを有する。前記添接部材８３１は、前記保持部本体８２１の基端部から上方に突出して一体に形成される添接部材本体８３１ａと、この添接部材本体８３１ａの一側縁部から側方に突出して設けられ幕板５の板面に対向する添接板８３１ｂとを具備する。前記裏当て部材８３２は、その上端を幕板５の上端よりも上方に位置づけてなり、幕板５の折り返し面に対向するとともに使用姿勢において上下方向に延伸する細長い板状をなす。前記接続部材８３３は、奥行き方向に延伸し前記裏当て部材８３２に接続する起立板８３３ａと、前記起立板８３３ａの下端から側方に突出して設けられ、幕板５の上面に対向する位置に配される水平板８３３ｂとを有する。そして、前記添接板８３１ｂの一側端縁を脚要素Ａ１、すなわち袖２又は脚体３に当接させて幅方向の位置決めを行うようにしている。
【００４３】
前記応力分散機構Ｋは、本実施形態では、前記添接部材本体８３１ａの上端部と前記起立板８３３ａの前端部とを互いに軸Ｘ１を介し枢着して形成している。
【００４４】
前記上動禁止部８４は、前記裏当て部材８３２の下部から前記折り返し部５ｒ側に向けて突出する延出部材８４１と、前記延出部材８４１から上方に突出して前記折り返し部５ｒの内部に配される抜け止め部材８４２とを具備する。さらに本実施形態では、前記抜け止め部材８４２は、前記延出部材８４１から上方に突出する抜け止め部材本体８４２ａと、この抜け止め部材本体８４２ａの上端から側方に突出して設けられる水平舌片８４２ｂとを具備する。そして、この水平舌片８４２ｂの上面を、前記幕板５の上面を形成する上壁の下面に当接可能な上向き面８４２ｃとしている。
【００４５】
本実施形態では、オプション部材取付要素８１は、上述したように、図１４に示すような装着姿勢と前記図１０〜図１２に示したような使用姿勢との間を姿勢変更可能にしている。すなわち、前記図１４、及び取付態様を示す分解斜視図である図１５に示すように、このオプション部材取付要素８１は、装着姿勢において、前記添接部材８３１が略水平をなし、前記接続部材８３３の起立板８３３ａが幕板５の上面に対向するとともに、前記裏当て部材８３２が幕板５の折り返し面に対向するようにしている。そして、前記接続部材８３３の起立板８３３ａと同接続部材８３３の水平板８３３ｂとの境界部分を中心として図１４の矢印ｘ方向にこのオプション部材取付要素８１を回動させると、前記接続部材８３３の水平板８３３ｂが幕板５の上面に当接し、使用姿勢に達する。このとき、上動禁止部８４は、下方から幕板５の折り返し部５ｒ内部に進入し、前記上向き面８４２ｃが前記幕板５の上面を形成する上壁の下面に当接する。
【００４６】
本実施形態では、前記オプション部材保持部８２が上方に向かう作用を受けた際には、上述したように前記オプション部材保持部８２の前記保持部本体８２１の基端部から前記添接部材本体８３１ａを上方に突出して一体に形成しているので、前記オプション部材保持部８２が上方に向かう作用を受けた際には前記添接部材本体８３１ａにこの作用が伝わる。しかし、前記前記添接部材本体８３１ａは軸Ｘ１を介して前記起立板８３３ａに枢着されているので、この軸Ｘ１を中心に前記オプション部材保持部８２が上方に向かい前記図１２の想像線に示す位置まで回動して応力が分散される。
【００４７】
一方、前記作用の一部は、前記起立板８３３ａを経て前記裏当て部材８３２に伝わるが、この作用はさらに上動禁止部８４に伝えられる。その際、この上動禁止部８４の上向き面が幕板５の折り返し部５ｒの裏面に下方から当接するので、この上動禁止部８４及び前記取付部８３の裏当て部材８３２はそれ以上の上動が禁止される。
【００４８】
また、このオプション取付装置８が後方に抜脱する方向に作用を受けた際には、前記前記抜け止め部材８４の抜け止め部材本体８４１が前記折り返し部５ｒの折り返し部分に当接し、該オプション取付装置８のそれ以上後方への移動が禁止される。
【００４９】
このように、本実施形態に係るデスクＡにおける幕板５へのダクト９の取付構造を採用すれば、オプション取付装置８が、ダクト９を保持するオプション部材保持部８２と、幕板５の上縁部に係合可能な取付部８３と、幕板５の折り返し部５ｒに下方から当接する上動禁止部８４とを具備するので、ダクト９が上動する方向に作用を受けた際に、前記上動禁止部８４が前記幕板５の折り返し部５ｒに下方から当接してオプション取付装置８の上動が禁止され、少ない工数でダクト９を取り付けることができるようにしつつ、オプション取付装置８と幕板５の上縁部との係合が解除されてダクト９がオプション取付装置８ごと抜脱してしまう不具合を解消することができる。
【００５０】
オプション取付装置８は、装着姿勢と使用姿勢との間を姿勢変更可能であり、使用姿勢において上動禁止部８４の上縁が前記折り返し部５ｒの下縁に当接可能となるようにしているので、このようなオプション取付装置を容易に幕板５に取り付けることができる。
【００５１】
前記オプション取付装置８の取付部８３が、前記使用姿勢において幕板５の板面に対向する位置に配される添接部材８３１と、前記使用姿勢において幕板５の折り返し面に対向する位置に配される裏当て部材８３２と、前記使用姿勢において幕板５の上方に配されこれら添接部材及び裏当て部材を接続する接続部材８３３とを有し、前記裏当て部材８３２に前記上動禁止部８４を一体に設けているので、このようなオプション取付装置８を容易に実現することができる。
【００５２】
前記上動禁止部８４が、前記裏当て部材８３２の下部から前記折り返し部５ｒ側に向けて突出する進入部材８４１と、前記進入部材８４１から上方に突出して前記折り返し部５ｒの内部に配される抜け止め部材８４２とを具備するので、このオプション取付装置８が後方へ抜脱する方向に作用を受けた際に、前記抜け止め部材８４２が前記折り返し部５ｒの折り返し部分に当接し、該オプション取付装置８のそれ以上後方への移動が禁止され、このオプション取付装置８の後方への抜脱を防ぐことができる。
【００５３】
前記抜け止め部材８４の上端に、前記幕板５の上面を形成する上壁の下面に当接可能な上向き面８４２ｃを設けているので、前記取付部８３が幕板５の上縁に係合していることと併せて、このようなオプション取付装置８をより安定して幕板５に取り付けることができる。
【００５４】
前記オプション部材保持部８２が上方に向かう作用を受けた際に、該オプション部材保持部８２を上方に移動可能にするための応力分散機構Ｋを有するので、オプション取付装置８を壁状体に取り付けた状態でダクト９が上動する方向に作用を受けた際に、応力分散機構Ｋが機能して該オプション部材保持部８２が上方に移動して応力が分散され、ダクト９が上動する方向に作用を受けた際にオプション取付装置８が衝撃により破損する不具合の発生を防ぐことができる。
【００５５】
前記オプション部材保持部８２と前記取付部８３の前記添接部材８３１とを一体に構成するとともに、前記取付部８３の前記添接部材８３１と前記接続部材８３３とを別体に構成し、前記添接部材８３１と前記接続部材８３３とを互いに回動可能に接続して前記応力分散機構Ｋを形成することにより、このような応力分散機構を容易に実現することができる。
【００５６】
前記接続部材８３３が、奥行き方向に延伸し前記裏当て部材８３２に接続する起立板８３３ａと、前記起立板８３３ａの下端から側方に突出して設けられ、幕板５の上面に対向する位置に配される水平板８３３ｂとを有するので、前記抜け止め部材８４の上端に上向き面８４２ｃを有する水平舌片８４２ｂを設けていることと併せて、前記水平板８３３ｂと前記水平舌片８４２ｂとにより幕板５の上縁を挟み込むようにして、このオプション取付装置８を安定して幕板５に取り付けることができる。さらに、使用姿勢において前記水平板８３３ｂを前記幕板５の上面ないし該上面に固定して取り付けた幕板上固定具６の基材６２に当接させ、オプション取付装置８の使用姿勢への位置決めを行うことができる。
【００５７】
そして、前記オプション部材保持部８２と前記ダクト９との間に、前記係止爪８２３と係止孔９ｘとを係合させてなり、前記ダクト９の上動を禁止する係止部を設けているので、工具を用いることなく前記オプション部材保持部８２に前記ダクト９を保持させる構成を採用できる。
【００５８】
なお、本発明は、以上に詳述した実施形態に限られるものではない。
【００５９】
例えば、以下に述べるようなオプション取付装置８０を介してオプション部材たるダクトボックス９０を取り付ける態様が考えられる。このオプション取付装置８０を介してダクトボックス９０を取り付けた状態のデスクＡの背面図を図１６、図１６の要部を拡大して示した図を図１７、図１６におけるａ−ａ断面図を図１８にそれぞれ示す。また、袖２をこのデスクＡを使用するものから見て左側に設けた場合の態様を、前記図１６の想像線に示している。
【００６０】
このオプション取付装置８０は、前記図１６に示すように、左右１対に設けられるオプション部材取付要素８０１、８０１により形成される。このオプション部材取付要素８０１は、図１９の（ａ）に平面図、同図の（ｂ）に正面図、同図の（ｃ）に側面図をそれぞれ示すように、ダクトボックス９０を保持するオプション部材保持部８０２と、幕板５の上縁部に係合可能な取付部８０３と、前記幕板５の折り返し部５ｒに下方から当接する上動禁止部８０４とを具備する。このオプション取付装置８０は、装着姿勢と使用姿勢との間を姿勢変更可能なものであって、使用姿勢において上動禁止部８０４の上縁が前記折り返し部５ｒの下縁に当接可能に構成している。なお、前記図１６〜図１８には、オプション取付装置８０が使用姿勢にある状態を示している。また、前記図１６では、ダクトボックス９０のうち幕板５と対向して起立する起立壁を省いて示している。
【００６１】
より具体的には、前記オプション部材保持部８０２は、略水平な板状をなす保持部本体８０２１と、この保持部本体８０２１の一端部から垂下して設けられる起立板部８０２２とを有する。前記保持部本体８０２１には、後上方に突出する係止爪８０２３を設けていて、ダクトボックス９０に形成した係止孔９０ｘと係合可能に構成している。そして、図示はしないが、このオプション部材保持部８０２及びダクトボックス９０には樹脂製止め部材を挿通可能な止め部材挿通孔を形成していて、これらオプション部材保持部８０２及びダクトボックス９０の止め部材挿通孔に樹脂製止め部材を挿入してこれらオプション部材保持部８０２及びダクトボックス９０を互いに固定している。
【００６２】
前記取付部８０３は、前記使用姿勢において幕板５の板面に対向する位置に配される添接部材８０３１と、前記使用姿勢において幕板５の折り返し面に対向する位置に配される裏当て部材８０３２と、前記使用姿勢において幕板５の上方に配されこれら添接部材８０３１及び裏当て部材８０３２を接続する接続部材８０３３とを有する。前記添接部材８０３１は、前記オプション部材保持部８０２の前記起立板部８０２２と対向して配されるとともに軸Ｘ１０を介して前記起立板部８０２２に枢着される基部８０３１ａと、幕板５の板面に対向する位置に配される添接部材本体８０３１ｂとを具備する。前記裏当て部材８０３２は、その上端を幕板５の上端よりも上方に位置づけてなり、幕板５の折り返し面に対向するとともに使用姿勢において上下方向に延伸する細長い板状をなす。前記接続部材８０３３は、奥行き方向に延伸し前記裏当て部材８０３２に接続する起立板８０３３ａと、前記添接部材８０３１の上端から側方に突出して設けられ、幕板５の上面に対向する位置に配されるとともに前記起立板８０３３ａに接続する水平板８０３３ｂとを有する。そして、前記添接部材本体８０３１ｂの一側端縁を脚要素Ａ１、すなわち袖２又は脚体３に当接させて幅方向の位置決めを行うようにしている。
【００６３】
また、前記添接部材８０３１の基部８０３１ａには、後方に屈曲させて鍔部８０３１ｃを設けている。前記オプション部材保持部８０２の前記鍔部８０３１ｃに対応する部位には、この鍔部８０３１ｃを挿入可能であり前記軸Ｘ１０を中心とする円弧状の長孔８０２ｘを形成していて、これら鍔部８０３１ｃ及び長孔８０２ｘを利用して、前記オプション保持具８０２の回動範囲を制限する回動範囲制限手段を形成している。
【００６４】
そして、前記上動禁止部８０４は、前記裏当て部材８０３２の下部から前記折り返し部５ｒ側に向けて突出する延出部材８０４１と、前記延出部材８０４１から上方に突出して前記折り返し部５ｒの内部に配される抜け止め部材８０４２とを具備する。さらに本実施形態では、前記抜け止め部材８０４２は、前記延出部材８０４１から上方に突出する抜け止め部材本体８０４２ａと、この抜け止め部材本体８０４２ａの上端から側方に突出して設けられる水平舌片８０４２ｂとを具備する。そして、この水平舌片８０４２ｂの上面を、前記幕板５の上面を形成する上壁の下面に当接可能な上向き面８０４２ｃとしている。
【００６５】
この態様では、上述したように、オプション部材取付要素８１は、図２０に示すような装着姿勢と前記図１６〜図１８に示したような使用姿勢との間を姿勢変更可能にしている。すなわち、前記図２０、及び取付態様を示す分解斜視図である図２１に示すように、このオプション部材取付要素８０１は、装着姿勢において、前記接続部材８０３３の起立板８０３３ａが幕板５の上面に対向するとともに、前記裏当て部材８０３２が幕板５の折り返し面に対向するようにしている。そして、前記接続部材８０３３の起立板８０３３ａと同接続部材８０３３の水平板８０３３ｂとの境界部分を中心として図２０の矢印ｘ方向にこのオプション部材取付要素８０１を回動させると、前記接続部材８０３３の水平板８０３３ｂが幕板５の上面に当接し、使用姿勢に達する。このとき、上動禁止部８０４は、下方から幕板５の折り返し部５ｒ内部に進入し、前記上向き面８０４２ｃが前記幕板５の上面を形成する上壁の下面に当接する。
【００６６】
また、この態様では、前記オプション部材保持部８０２が上方に向かう作用を受けた際には、この作用が、前記取付部８０３を経て前記上動禁止部８０４に伝えられる。その際、この上動禁止部８０４の上向き面８０４２ｃが幕板５の折り返し部５ｒの裏面に下方から当接するので、このオプション取付装置８０はそれ以上の上動が禁止される。
【００６７】
さらに、このオプション取付装置８０が後方に抜脱する方向に作用を受けた際には、前記前記抜け止め部材８０４の抜け止め部材本体８０４１が前記折り返し部５ｒの折り返し部分に当接し、該オプション取付装置８０のそれ以上後方への移動が禁止される。
【００６８】
すなわち、この態様においても、上述した実施形態における主な効果を得ることができる。
【００６９】
また、工具を用いて天板と脚要素と幕板とを連結してなる天板付き家具の幕板へのオプション部材取付構造に上述したような構成を採用しても、上述した実施形態における主な効果を得ることができる。
【００７０】
加えて、上述した実施形態における上動禁止部の抜け止め部材を省略しても、上動禁止部の上縁が前記折り返し部の下縁に当接可能であれば、少なくともオプション取付装置の上方への抜脱を禁止する効果を得ることはできる。
【００７１】
そして、上述した実施形態におけるファスナ４は、省略するようにしてもよい。
【００７２】
その他、各部の具体的構成についても上記実施形態に限られるものではなく、本発明の趣旨を逸脱しない範囲で種々変形が可能である。
【図面の簡単な説明】
【００７３】
【図１】本発明の一実施形態に係るデスクを示す全体斜視図。
【図２】本発明の一実施形態に係るデスクを天地を逆にして示す全体斜視図。
【図３】同実施形態における天板の裏面側を示す図。
【図４】同実施形態における袖を見下ろした斜視図。
【図５】同実施形態における幕板上隅部付近に対応する部位の正断面図。
【図６】同実施形態における幕板下隅部付近に対応する部位の正断面図。
【図７】同実施形態における幕板上隅部の天板及び袖への取り付け態様を示す分解斜視図。
【図８】同実施形態における幕板上固定具を示す図。
【図９】同実施形態における係合突起を示す図。
【図１０】同実施形態におけるオプション取付装置を介してダクトを取り付けた状態のデスクの背面図。
【図１１】図１０における要部を拡大して示した図。
【図１２】図１１におけるａ−ａ断面図。
【図１３】同実施形態におけるオプション取付装置のオプション部材取付要素を示す図。
【図１４】同実施形態におけるオプション取付装置の装着姿勢を示す図。
【図１５】同実施形態におけるオプション取付装置の幕板への取付態様を示す分解斜視図。
【図１６】本発明の他の態様におけるオプション取付装置を介してダクトボックスを取り付けた状態のデスクの背面図。
【図１７】図１６における要部を拡大して示した図。
【図１８】図１６におけるａ−ａ断面図。
【図１９】同態様におけるオプション取付装置のオプション部材取付要素を示す図。
【図２０】同態様におけるオプション取付装置の装着姿勢を示す図。
【図２１】同態様におけるオプション取付装置の幕板への取付態様を示す分解斜視図。
【符号の説明】
【００７４】
Ａ…デスク
Ａ１…脚要素
１…天板
２…袖（脚要素）
３…脚体（脚要素）
５…幕板（壁状体）
５ｒ…折り返し部
８、８０…オプション取付装置
８２、８０２…オプション部材保持部
８３、８０３…取付部
８３１、８０３１…添接部材
８３２、８０３２…裏当て部材
８３３、８０３３…接続部材
８３３ａ，８０３３ａ…起立板
８３３ｂ、８０３３ｂ…水平板
８４、８０４…上動禁止部
８４１、８０４１…延出部材
８４２、８０４２…抜け止め部材
８４２ｃ、８０４２ｃ…上向き面
９…ダクト（オプション部材）
９０…ダクトボックス（オプション部材）
【図１】
2006181038.tif 000003
【図２】
2006181038.tif 000004
【図３】
2006181038.tif 000005
【図４】
2006181038.tif 000006
【図５】
2006181038.tif 000007
【図６】
2006181038.tif 000008
【図７】
2006181038.tif 000009
【図８】
2006181038.tif 000010
【図９】
2006181038.tif 000011
【図１０】
2006181038.tif 000012
【図１１】
2006181038.tif 000013
【図１２】
2006181038.tif 000014
【図１３】
2006181038.tif 000015
【図１４】
2006181038.tif 000016
【図１５】
2006181038.tif 000017
【図１６】
2006181038.tif 000018
【図１７】
2006181038.tif 000019
【図１８】
2006181038.tif 000020
【図１９】
2006181038.tif 000021
【図２０】
2006181038.tif 000022
【図２１】
2006181038.tif 000023